【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
真空ポンプによって内容物を吸引して外部に排出する二重容器に用いられる内容器であって、
前記内容器は、平面視多角形の上面部と、前記上面部と平面視同一の多角形からなる底面部と、前記上面部と前記底面部とを連結する側面部を有し、
前記上面部の多角形と前記底面部の多角形は、平面視においてその中心点から相対的に一定角度回転変位しており、
前記内容器の側面部には、前記上面部の多角形の全ての頂点と、当該全ての頂点に一対一で対応する前記底面部の多角形の全ての頂点とを結ぶ山折れ癖線が形成されている、
ことを特徴とする真空ポンプ付き二重容器用の内容器。
【請求項２】
前記上面部と、前記底面部と、隣り合う２つの前記山折れ癖線とで形成される平行四辺形形状となる前記内容器の側面領域は、平面又は前記内容器の径方向内側に湾曲する凹面である、
ことを特徴とする請求項１に記載の真空ポンプ付き二重容器用の内容器。
【請求項３】
前記上面部と、前記底面部と、隣り合う２つの前記山折れ癖線とで形成される平行四辺形形状となる前記内容器の側面領域には、谷折れ癖線が形成されている、
ことを特徴とする請求項１又は２に記載の真空ポンプ付き二重容器用の内容器。
【請求項４】
前記上面部と、前記底面部と、隣り合う２つの前記山折れ癖線とで形成される平行四辺形形状となる前記内容器の側面領域に形成される谷折れ癖線は、前記山折れ癖線の傾斜方向と同方向となる当該平行四辺形の対角線上に形成されている、
ことを特徴とする請求項３に記載の真空ポンプ付き二重容器用の内容器。
【請求項５】
前記山折れ癖線は、内容器の縦方向垂直軸に対し、側面視で３〜５度の傾斜角を持つように、前記上面部の多角形と前記底面部の多角形は、平面視においてその中心点から相対的に一定角度回転変位している、
ことを特徴とする請求項１ないし４のいずれか１項に記載の真空ポンプ付き二重容器用の内容器。
【請求項６】
前記上面部及び前記底面部は、平面視六角形である、
ことを特徴とする請求項１ないし５のいずれか１項に記載の真空ポンプ付き二重容器用の内容器。
【手続補正２】
【補正対象書類名】明細書
【補正対象項目名】全文
【補正方法】変更
【補正の内容】
【発明の詳細な説明】
【発明の名称】真空ポンプ付二重容器用の内容器
【技術分野】
【０００１】
本発明は、真空ポンプによって内容物を吸引して外部に排出する二重容器（外容器と内容器の二重構造からなる容器）に用いられる内容器に関する。  
【背景技術】
【０００２】
近年の省資源化の要望に応えて、例えばシャンプー、リンスや石けん液等のポンプ付二重容器の場合には、ポンプと外容器はそのまま使い、内容物であるシャンプー等を充填した内容器のみを変換して廃棄するカートリッジ式の使用形態をとっているのが一般的である。
【０００３】
しかし、内容器はポンプで内容物が吸い出されて行くと、真空作用により収縮するが、この収縮したときの形状は不定形となり、廃棄処分に際して減容化率が小さい、という問題がある。
【０００４】
そこで、この減容化率を促進する目的で、特許文献１には、ポンプを口部に取着可能とした薄肉容器として、内容物の吐出に応じて内容器の潰れ方を規制するようにした薄肉容器において、口部にポンプを取着し、胴周壁を薄肉とした内容器であって、胴周壁に柱部を設け、内容物の吐出時に胴周壁の潰れ方を規制するようにした二重容器が紹介されている。
【０００５】
しかし、この二重容器の場合、内容器の胴周壁に柱部を設けているため、潰れた時の胴部形状は細く変形するものの、縦方向の長さ寸法は変化せず、全体としての減容化率はそれほど大きくならない。
【０００６】
また、特許文献２には、変形し難い外容器と容易に変形可能な内容器とを含み、容器口部に内容器の口部に密封した流動物注出手段を装着してなる流動物の注出容器において、内容器が互に直交する方向へ延出した４つの略三角形の折畳部を中央で相互に連通すると共に、互に隣接する折畳部の直角部を上下逆に位置させた形状を有する袋状容器からなり、収縮時に折畳部が直交する４方向へ折り畳まれて平面十字状の収縮形状を呈するものが紹介されている。
【０００７】
しかし、この内容器の場合も、内容器が収縮したときに平面視十字状を呈することはあっても、縦方向の収縮はしないことから、減容化率は大きくない。
【０００８】
更に特許文献３には、  ポンプ付き二重容器の内容器の潰れ変形形態が、設定したものとなるようにすることにより、確実で安定した内容物の吐出動作を得ることを目的とするものとして、潰れ変形自在な内容器と、内容器を収納保持する変形しない外容器と、両容器に組付いて、ポンプ動作により内容器の内容物を吐出するポンプとを有し、内容器の胴部にリブ条を形成して、潰れ変形を一定形態に規制すると共に、内容器と外容器との間に外気を導入する通気部を設けて、潰れ変形を円滑に行なわせる二重容器が紹介されている。
【０００９】
しかし、この内容器の場合も、リブ条は胴部において縦方向に形成されているため、収縮は前記２つの特許文献と同様に高さ方向においては発生せず、減容化率は高さ方向においては十分でない。
【先行技術文献】
【特許文献】
【００１０】
【特許文献１】特開２００５−８８９７９号公報
【特許文献２】実開平２−６９８８６号公報
【特許文献３】特開２００８−２１３８５４号公報
【発明の概要】
【発明が解決しようとする課題】
【００１１】
本発明は、内容器の収縮方向（潰れ方向）を径方向のみならず縦方向にも生じさせ、ゴミとして廃棄する際の減容化率を最大化することができる真空ポンプ付二重容器の内容器を提供することを目的とする。
【課題を解決するための手段】
【００１２】
上記目的を達成するため、本発明は、真空ポンプによって内容物を吸引して外部に排出する二重容器に用いられる内容器であって、前記内容器は、平面視多角形の上面部と、前記上面部と平面視同一の多角形からなる底面部と、前記上面部と前記底面部とを連結する側面部を有し、前記上面部の多角形と前記底面部の多角形は、平面視においてその中心点から相対的に一定角度回転変位しており、前記内容器の側面部には、前記上面部の多角形の全ての頂点と、当該全ての頂点に一対一で対応する前記底面部の多角形の全ての頂点とを結ぶ山折れ癖線が形成されている、ことを特徴とする。
【発明の効果】
【００１３】
本発明によれば、ポンプによって内容器に収容された内容物が外部に放出されると、内容器は減圧によって収縮するが、その時、内容器の側面に設けた山折れ癖線によって、捻じれの作用が生じ、かつこの捻じれ作用によって、内容器は縦方向と径方向の両方向に収縮するため、ゴミとして廃棄する際の減容化率を大きくすることができる。
【００１４】
また、内容器の側面の隣り合う山折れ癖線に囲まれた領域内に、更に谷折れ癖線及び山折れ癖線を適宜に配置すれば、収縮動作もスムーズで、かつ想定した形状により潰れやすくなる。
【図面の簡単な説明】
【００１５】
【図１】本発明に係る真空ポンプ容器の一部断面図
【図２】本発明の実施例に係る内容器の斜視図
【図３】本発明の実施例に係る内容器が潰れた状態の断面図
【図４】本発明の実施例に係る内容器が潰れた状態の斜視図
【発明を実施するための形態】
【００１６】
本発明に係る実施例について、図１〜図４に基づいて詳細に説明する。
図１は、本発明に係る内容器５を装着した真空ポンプ付二重容器を示し、符号の１は外容器、２は外容器１の蓋、３は真空ポンプ、４はポンプシリンダー、４ａはポンプ吸引ノズルである。外容器１は硬質樹脂により成形され、内容器５は変形自在の軟質樹脂によりブロー成形されている。なお、真空ポンプ付二重容器とは、真空式のポンプを用いて内容器に収納されている内容物を汲み出すものであり、ポンプのシリンダー部分を内容器内に挿入し、内容物を吸引して外部放出すると、この吸引した内容物の容量に応じて内容器が減圧する構造を有する二重容器である。
【００１７】
内容器５は、変形が容易なように軟質樹脂製で、かつ薄く形成され、ポンプ３側の取り付けキャップ６に対して口部５ａに設けたねじ部７により取り付けられている。
この内容器５は、平面視で六角形に形成した上面部１０と、当該上面部１０と同じく平面視で六角形に形成したし底面部１１と、側面部９を有している。ともに六角形に形成した上面部１０と、底面部１１は、図２に示す通り、平面視において同一中心点を中心として、相対的に一定角度回転変位しており、六角形からなる上面部１０の各頂点と、六角形からなる底面部１１の各頂点は、一対一で対応する山折れ癖線８によって結ばれている。
【００１８】
山折れ癖線８は、内容器５が収縮する際に、山折れするように予め癖が付けられた線（筋）であり、図２に示すとおり、側面部９を捩じるような形状（スクイズした形状）で配置されており、内容器５が収縮する際、内容器５の側面部９は、この山折れ癖線８に沿って捩じられて変形し、内容器５はその縦方向（上下方向）及び径方向（幅方向）に収縮するようになっている。本実施例では、山折れ癖線８が、内容器５の縦方向軸に対し、側面視で３〜５度傾斜するように、上面部１０と底面部１１は、同一中心点を中心として、相対的に一定角度回転変位するようになっている。
【００１９】
上面部１０、底面部１１、隣り合う２つの山折れ癖線８、とで形成されるほぼ平行四辺形形状となる内容器５の側面領域は、平面であっても良く、又は内容器５の径方向内側に湾曲する凹面であっても良い。図２に示すとおり、内側に湾曲した凹面とした場合、側面９は、内容器５が収縮する際に、より径方向内側に取り込まれていくようにすることができる。
【００２０】
本発明は、内容器５に設けた山折れ癖線８のみでも、十分な減容効果を発揮するものであるが、内容器５をより想定した形にスムーズに変形できる（潰すことができる）ように、本実施例では、以下に示す谷折れ癖線１２を更に有している。
【００２１】
図中１２は、内容器５の側面部９に設けた谷折れ癖線である。この谷折れ癖線１２は、隣り合う２つの山折れ癖線８と、上面部１０及び底面部１１とによって形成されるほぼ平行四辺形形状の側面領域内であって、山折れ癖線８の傾斜方向と同方向の対角線上に形成されている。
【００２２】
図３は、ポンプ３により内容物ａが吸引されて内容器５が最終段階まで潰れた状態を示す断面図であり、使用開始時に例えば５度変位していた上面部１０と底面部１１の位置関係は、上記捩じり作用によって相対回転する。この捩じり作用が大きければ大きいほど、内容器５の縦方向及び径方向の収縮は大きくなる。
【００２３】
このようにして、内容器５の側面部９は一方向に捩じられるようにして潰れ、縦方向及び径方向に縮小し、減容化率を大きくし、ゴミとして廃棄する際の負荷を軽減できる。
【００２４】
また、谷折れ癖線１２を、隣り合う２つの山折れ癖線８と、上面部１０及び底面部１１とによって形成されるほぼ平行四辺形形状の側面領域内に形成することで、当該谷折れ癖線１２が無い場合に比べて、事前に想定した状態に内容器５を潰すことができる。即ち、当該谷折れ癖線１２が無い場合には、個々の内容器によって変形の仕方が微妙に相違するが、谷折れ癖線１２を設けることで、どの内容器であっても、ほぼ図３に示す一定形状に変形させることが可能となる。
【００２５】
なお、上記実施例で示した内容器５の上面部及び底面部は六角形としているが、三角形、５角形、８角形等、多角形であれば良く、特に限定されない。
【００２６】
また、山折れ線８は、側面部９においてすべて同一方向に約３〜５°傾けることにより、側面部９の捻じれ方向が定まるが、この傾ける角度は、側面部９の面積及び高さ、直径、側面部９の軟度等から最良のものが選定される。
【００２７】
図１において、１５はエアーの流入孔、１６は供回り防止ストッパーである。
【００２８】
以上のとおり、本発明によれば、内容物の放出に伴う内容器の収縮が、内容器の側面に形成される山折れ癖線によって捩じられるように収縮し、内容器の縦方向及び径方向の両方向に収縮することにより、ゴミとして廃棄する際にコンパクト化され、廃棄の負荷を軽減することができる。
【符号の説明】
【００２９】
１  外容器
２  キャップ
３  ポンプ
４  シリンダー
５  内容器
６  キャップ
７  ねじ
８  山折れ線
９  側面部
１０  上面部
１１  底面部
１２  山折れ癖線
１３  上部谷折れ癖補助線
１４  下部谷折れ癖補助線
１５  エアー流入孔
１６  ストッパー
【手続補正３】
【補正対象書類名】図面
【補正対象項目名】図５
【補正方法】削除
【補正の内容】
【手続補正４】
【補正対象書類名】図面
【補正対象項目名】図６
【補正方法】削除
【補正の内容】